【事件の表示】
　平成　３年特許願第　４４２６２号「固体撮像素子の駆動方法」拒絶査定に対する審判事件［平成　４年　９月１８日出願公開、特開平　４−２６２６７９］について、次のとおり審決する。
【結　論】
　本件審判の請求は、成り立たない。
【理　由】
１．手続きの経緯・本願発明の要旨
　本願は、平成３年２月１５日の出願であって、その請求項１に係る発明は、平成１１年８月２５日付けの手続補正書により補正された明細書及び図面の記載からみて、その特許請求の範囲の請求項１に記載された次のとおりのものと認める。（以下、「本願発明」という。）
　「水平方向および垂直方向にマトリックス状に配列された複数の受光部と、前記受光部から信号電荷の転送を受けこれを垂直方向に転送する複数列の垂直ＣＣＤレジスタと、前記垂直ＣＣＤレジスタの一端に配置され該垂直ＣＣＤレジスタから信号電荷の転送を受けこれを出力部へ向けて転送する水平ＣＣＤレジスタとを具備する固体撮像素子の駆動方法であって、すべての受光部から信号電荷を同時にかつ独立して前記垂直ＣＣＤレジスタに読み出す第１のステップと、１水平ブランキング期間内において前記垂直ＣＣＤレジスタに読み出された信号電荷を２つの垂直転送ステップで転送する第２のステップとを有し、前記２つの垂直転送ステップは前記垂直ＣＣＤレジスタのある行からの信号電荷を前記水平ＣＣＤレジスタへ転送する第１の垂直転送ステップと、前記垂直ＣＣＤレジスタの他の行からの信号電荷を前記水平ＣＣＤレジスタへ転送すると共に第１の垂直転送ステップで転送された信号電荷と加算する第２の垂直転送ステップとからなり、その後加算された信号電荷を固体撮像素子のインターレース状態を与えるため第１のフィールドと第２のフィールドとを形成する様に前記出力部へ転送することを特徴とする固体撮像素子の駆動方法。」
　
　
２．引用例の記載
　これに対して、原査定の拒絶の理由に引用された、本願出願前に頒布された刊行物である特開平２−１９６５６７号公報（以下、「引用刊行物」という。）は、”固体撮像素子からインターレースで画面信号を取り出すことができ、ノンインターレースからインターレースへの変換を行う必要のない固体撮像素子の駆動方法”（第６頁右上欄［発明の効果］）に関するものであり、本願発明の「フレーム読み出し型固体撮像素子をスチルカメラ用のみならずビデオカメラ用としても使用する」と同じ課題を有するものである。そして、該引用刊行物にはその具体的構成として次の事項が記載されている。
　
（１）従来技術に関連し、「固体撮像装置１１は、第８図に示すように、水平及び垂直方向に平面的に配列され、それぞれが画素を構成する複数（図示の場合は２０個）の光電変換素子１３，１３，……と、この複数の光電変換素子１３，１３，……にそれぞれ対応して設置され、該光電変換素子１３，１３，……の信号電荷が転送されるとともに、垂直方向への電荷転送が可能な複数の垂直転送段１４，１４，……と、この複数の垂直転送段１４，１４，……によって垂直方向に転送された信号電荷が供給される水平転送段１５と、この水平転送段１５に転送された信号電荷を増幅して出力する出力増幅器１６とを備えている。」（第２頁左上欄第１６行〜右上欄第７行）固体撮像装置。
　
（２）固体撮像素子の駆動方法に関連し、
　イ．「第１図（ａ）に示すように、偶数フィールドと奇数フィールドとで　　１フレームを構成する形態のテレビジョン信号において、その偶数フィ　　ールドの垂直ブランキング期間に、同図（ｂ）に示すフィールドシフト　　パルスＦＳ１１を発生し、光電変換素子１３，１３，……に蓄積された　　信号電荷Ａ１〜Ａ５、Ｂ１〜Ｂ５、Ｃ１〜Ｃ５、Ｄ１〜Ｄ５［第２図
　　（ａ）］を、垂直転送段１４，１４，……に転送する［第２図
　　（ｂ）］。
　ロ．その後、同じ偶数フィールドの水平ブランキング期間に、第１図（ｃ　　）に示すように２つのラインシフトパルスＬＳ１１，ＬＳ１２を発生し　　、垂直転送段１４，１４，……に転送された信号電荷を、２垂直転送段　　１４，１４分だけ第２図（ｂ）中下側にシフトして、水平転送段１５に　　転送する［第２図（ｃ）］。このとき、水平転送段１５において、２垂　　直画素分の信号電荷が加算される。
　ハ．そして、第１図（ｄ）に示すように、上記偶数フィールドの水平映像　　期間に、水平転送段１５に転送された信号電荷を出力増幅器１６を介し　　て出力することにより、ここに信号Ｓ１（＝Ａ１＋Ａ２，Ｂ１＋Ｂ２，　　Ｃ１＋Ｃ２，Ｄ１＋Ｄ２）が出力される。
　　また、次の水平ブランキング期間で、２つのラインシフトパルスＬＳ１　　３，ＬＳ１４が発生され、垂直転送段１４，１４，……の信号電荷がさ　　らに２垂直転送段１４，１４分だけ第２図（ｃ）の中下側にシフトされ　　て水平転送段１５に転送され［第２図（ｄ）］、テレビジョン信号の水　　平映像期間に信号Ｓ２（＝Ａ３＋Ａ４，Ｂ３＋Ｂ４，Ｃ３＋Ｃ４，Ｄ３　　＋Ｄ４）が出力される。…（中略）…
　ニ．一方、テレビジョン信号の奇数フィールドにおいては、その垂直ブラ　　ンキング期間に、第１図（ｂ）に示すフィールドシフトパルスＦＳ１２　　を発生し、光電変換素子１３，１３，……に蓄積された信号電荷Ａ１〜　　Ａ５、Ｂ１〜Ｂ５、Ｃ１〜Ｃ５、Ｄ１〜Ｄ５［第３図（ａ）］を、垂直　　転送段１４，１４，……に転送する［第３図（ｂ）］。……
　ホ．また、次の水平ブランキング期間で、２つのラインシフトパルスＬＳ　　１７，ＬＳ１８が発生され、垂直転送段１４，１４，……の信号電荷が　　２垂直転送段１４，１４分だけ第３図（ｃ）中下側にシフトされて水平　　転送段１５に転送され［第３図（ｄ）］、テレビジョン信号の水平映像　　期間に信号Ｓ５（＝Ａ２＋Ａ３，Ｂ２＋Ｂ３，Ｃ２＋Ｃ３，Ｄ２＋Ｄ３　　）が出力される。
　ヘ．そして、次の水平ブランキング期間で、２つのラインシフトパルスＬ　　Ｓ１９，ＬＳ２０が発生され、垂直転送段１４，１４，……の信号電荷　　がさらに２垂直転送段１４，１４分だけ第３図（ｄ）中下側にシフトさ　　れて水平転送段１５に転送され［第３図（ｅ）］、テレビジョン信号の　　水平映像期間に信号Ｓ６（＝Ａ４＋Ａ５，Ｂ４＋Ｂ５，Ｃ４＋Ｃ５，Ｄ　　４＋Ｄ５）が出力される。
　ト．したがって、上記実施例によれば、固体撮像素子１１からインターレ　　ースで画像信号を取り出すことができる」（第３頁右下欄第１４行〜第　　４頁右下欄第８行）旨の構成。
　
　よって、上記（１）（２）の記載から、引用刊行物には、「水平及び垂直方向に平面的に配列され、それぞれが画素を構成する複数の光電変換素子と、複数の光電変換素子にそれぞれ対応して設置され、該光電変換素子の信号電荷が転送されるとともに、垂直方向への電荷転送が可能な複数の垂直転送段と、この複数の垂直転送段によって垂直方向に転送された信号電荷が供給され、転送された信号電荷を出力する水平転送段を具備する固体撮像素子の駆動方法であって、フィールドシフトパルスＦＳ１１の発生により、光電変換素子に蓄積された信号電荷Ａ１〜Ａ５、Ｂ１〜Ｂ５、Ｃ１〜Ｃ５、Ｄ１〜Ｄ５を、垂直転送段に転送し、水平ブランキング期間に、２つのラインシフトパルスＬＳ１１，ＬＳ１２を発生し、垂直転送段に転送された信号電荷を、２垂直転送段分だけ下側にシフトして、水平転送段に転送し、水平転送段において、２垂直画素分の信号電荷を加算を行い、加算された信号電荷を固体撮像素子からインターレースで取り出す固体撮像素子の駆動方法」の発明（以下、「引用発明」という。）が記載されていると認められる。
　
　
３．対比
　そこで、本願発明と引用発明を対比すると、
引用発明の「水平及び垂直方向に平面的に配列され、それぞれが画素を構成する複数の光電変換素子」は本願発明の「水平方向および垂直方向にマトリックス状に配列された複数の受光部」に相当する。また、同様にして「複数の光電変換素子にそれぞれ対応して設置され、該光電変換素子の信号電荷が転送されるとともに、垂直方向への電荷転送が可能な複数の垂直転送段」は「前記受光部から信号電荷の転送を受けこれを垂直方向に転送する複数列の垂直ＣＣＤレジスタ」に、「この複数の垂直転送段によって垂直方向に転送された信号電荷が供給され、出力を出力する水平転送段」は「前記垂直ＣＣＤレジスタの一端に配置され該垂直ＣＣＤレジスタから信号電荷の転送を受けこれを出力部へ向けて転送する水平ＣＣＤレジスタ」に、「フィールドシフトパルスＦＳ１１の発生により、光電変換素子に蓄積された信号電荷Ａ１〜Ａ５、Ｂ１〜Ｂ５、Ｃ１〜Ｃ５、Ｄ１〜Ｄ５を、垂直転送段に転送し」は「すべての受光部から信号電荷を同時にかつ独立して前記垂直ＣＣＤレジスタに読み出す第１のステップ」に、「水平ブランキング期間に、２つのラインシフトパルスＬＳ１１，ＬＳ１２を発生し、垂直転送段に転送された信号電荷を、２垂直転送段分だけ下側にシフトして、水平転送段に転送し、水平転送段において、２垂直画素分の信号電荷を加算を行い、」は「１水平ブランキング期間内において、前記垂直ＣＣＤレジスタに読み出されたある行からの信号電荷及び他の行からの信号電荷を、前記水平レジスタへ転送するとともに前記水平レジスタにおいて加算する第２のステップ」に、「加算された信号電荷を固体撮像素子からインターレースで取り出す固体撮像素子の駆動方法」は「加算された信号電荷を固体撮像素子のインターレース状態を与えるため第１のフィールドと第２のフィールドとを形成する様に前記出力部へ転送することを特徴とする固体撮像素子の駆動方法」に、それぞれ相当する。
　
　したがって、本願発明と引用発明は、
「水平方向および垂直方向にマトリックス状に配列された複数の受光部と、前記受光部から信号電荷の転送を受けこれを垂直方向に転送する複数列の垂直ＣＣＤレジスタと、前記垂直ＣＣＤレジスタの一端に配置され該垂直ＣＣＤレジスタから信号電荷の転送を受けこれを出力部へ向けて転送する水平ＣＣＤレジスタとを具備する固体撮像素子の駆動方法であって、すべての受光部から信号電荷を同時にかつ独立して前記垂直ＣＣＤレジスタに読み出す第１のステップと、１水平ブランキング期間内において、前記垂直ＣＣＤレジスタに読み出されたある行からの信号電荷及び他の行からの信号電荷を、前記水平レジスタへ転送するとともに前記水平レジスタにおいて加算する第２のステップとを有し、加算された信号電荷を固体撮像素子のインターレース状態を与えるため第１のフィールドと第２のフィールドとを形成する様に前記出力部へ転送することを特徴とする固体撮像素子の駆動方法。」の点で一致するものの、
　本願発明においては、垂直ＣＣＤレジスタに読み出された信号電荷の垂直転送ステップが、前記垂直ＣＣＤレジスタのある行からの信号電荷を前記水平ＣＣＤレジスタへ転送する第１の垂直転送ステップと、前記垂直ＣＣＤレジスタの他の行からの信号電荷を前記水平ＣＣＤレジスタへ転送すると共に第１の垂直転送ステップで転送された信号電荷と加算する第２の垂直転送ステップの２つの垂直転送ステップからなるのに対し、引用発明のものは、垂直転送ステップが２つの垂直転送ステップからなることについては明確な記載がない点において相違する。
　
　
４．判断
　上記相違点について検討する。
　引用発明には、上記２．（２）を参照するに、例えば、偶数フィールドの水平ブランキング期間に着目するに、
　「水平ブランキング期間に、第１図（ｃ）に示すように２つのラインシフトパルスＬＳ１１，ＬＳ１２を発生し、垂直転送段１４，１４，……に転送された信号電荷を、２垂直転送段１４，１４分だけ第２図（ｂ）中下側にシフトして、水平転送段１５に転送する［第２図（ｃ）］。このとき、水平転送段１５において、２垂直画素分の信号電荷が加算される。」（２．（２）ロ．参照。）、「次の水平ブランキング期間で、２つのラインシフトパルスＬＳ１３，ＬＳ１４が発生され、垂直転送段１４，１４，……の信号電荷がさらに２垂直転送段１４，１４分だけ第２図（ｃ）の中下側にシフトされて水平転送段１５に転送され［第２図（ｄ）］、テレビジョン信号の水平映像期間に信号Ｓ２（＝Ａ３＋Ａ４，Ｂ３＋Ｂ４，Ｃ３＋Ｃ４，Ｄ３＋Ｄ４）が出力される。」（２．（２）ハ．参照。）等の記載があり、
　従来技術（第２頁右上欄第１５行〜第２０行）を勘案すると、まず、各ラインシフトパルスＬＳ１１，ＬＳ１２，ＬＳ１３，ＬＳ１４は、垂直転送段１４，１４，……に転送された信号電荷を１垂直転送段１４分だけ下側にシフトして、水平転送段１５に転送する。次に、各ラインパルスＬＳ１１，ＬＳ１３により垂直転送段１４，１４，……に転送されたある行の信号電荷を１垂直転送段１４分だけ下側にシフトして、水平転送段１５に転送した後、各ラインパルスＬＳ１２，ＬＳ１４によって、他の行の垂直転送段１４，１４，……に転送された信号電荷を１垂直転送段１４分だけ下側にシフトして、水平転送段１５に転送したときに、各ラインパルスＬＳ１１，ＬＳ１３により転送されたある行の信号電荷と加算されるもので、これは、２垂直画素分の信号電荷が加算されると解される。
　
　そして、引用発明の、「各ラインパルスＬＳ１１，ＬＳ１３により垂直転送段１４，１４，……に転送されたある行の信号電荷を１垂直転送段１４分だけ下側にシフトして、水平転送段１５に転送」することは、本願発明の「第１の垂直転送ステップ」に、また、「各ラインパルスＬＳ１２，ＬＳ１４によって、他の行の垂直転送段１４，１４，……に転送された信号電荷を１垂直転送段１４分だけ下側にシフトして、水平転送段１５に転送したときに、水平転送段１５において、各ラインパルスＬＳ１１，ＬＳ１３により転送されたある行の信号電荷と加算されることにより、２垂直画素分の信号電荷が加算される」ことは、第１図（ｃ）で各ラインパルスが所定期間後に処理するもので、本願発明の「第２の垂直転送ステップ」に対応するものと認められるから、引用刊行物のものにおいても垂直転送ステップを前記第１の垂直転送ステップとこれに加算する前記第２の垂直転送ステップから構成するようにして上記相違点のようにすることは、当業者が適宜容易になし得るものと認められる。
　なお、奇数フィールドも同様に構成される。
　
　
５．むすび
　したがって、本願の請求項１に係る発明は、上記引用刊行物に記載された発明に基づいて当業者が容易に発明をすることができたものであるから、特許法第２９条第２項の規定により特許を受けることができない。
　
　よって、結論のとおり審決する。